(57)【要約】【課題】第三者から画像データを受信して画像形成する画像形成装置において、意図しない印刷を抑制する画像形成装置を提供する。【解決手段】外部機器に対して画像形成の開始指示を要求する送信部（無線通信部１２０）と、前記外部機器から画像形成開始指示を受信する受信部（無線通信部１２０）と、前記画像形成開始指示に応答して、画像データに基づく画像の形成を開始する制御部（１００）と、を備えることを特徴とする画像形成装置（プリンタ装置１０）を提供する。【選択図】  図２
2017177792.tif 000002
【特許請求の範囲】
【請求項１】
外部機器に対して画像形成の開始指示を要求する送信部と、
前記外部機器から画像形成開始指示を受信する受信部と、
前記画像形成開始指示に応答して、画像データに基づく画像の形成を開始する制御部と、を備える
ことを特徴とする画像形成装置。
【請求項２】
第２外部機器から前記画像データを受信する通信部をさらに備え、
前記制御部は、前記画像データに基づく画像を形成する
ことを特徴とする請求項１に記載の画像形成装置。
【請求項３】
前記送信部はさらに、前記外部機器に対して画像形成の内容を送信する
ことを特徴とする請求項１または請求項２に記載の画像形成装置。
【請求項４】
前記画像形成の内容が、前記画像データに基づいて生成された第２画像データである
ことを特徴とする請求項３に記載の画像形成装置。
【請求項５】
前記制御部は、前記第２外部機器が予め登録された機器である場合には、前記画像形成開始指示の受信に関係なく画像の形成を開始する
ことを特徴とする請求項２に記載の画像形成装置。
【請求項６】
前記制御部は、前記画像データに所定のデータが含まれている場合には、前記画像形成開始指示の受信に関係なく画像の形成を開始する
ことを特徴とする請求項１乃至請求項４のいずれか１項に記載の画像形成装置。
【請求項７】
前記所定のデータが所定の文字列である
ことを特徴とする請求項６に記載の画像形成装置。
【請求項８】
前記通信部は、前記制御部が前記画像データに基づく画像の形成を行わない場合、前記第２外部機器に対する通知を行う
ことを特徴とする請求項２に記載の画像形成装置。
【請求項９】
前記制御部は、画像形成のためのインクの残量が所定量より少ない場合、画像形成を禁止する
ことを特徴とする請求項１乃至請求項８のいずれか１項に記載の画像形成装置。
【請求項１０】
画像データを記憶する記憶部をさらに備え、
前記制御部は、前記記憶部に記憶された画像データが所定量以上である場合には、画像形成を禁止する
ことを特徴とする請求項１乃至請求項９のいずれか１項に記載の画像形成装置。
【請求項１１】
前記通信部は、前記第２外部機器から受信した前記画像データが所定量以上である場合、前記第２外部機器に対して所定の形式での画像データの送信を要求する
ことを特徴とする請求項２に記載の画像形成装置。
【請求項１２】
外部機器に対して画像形成の開始指示を要求する第１ステップと、
前記外部機器から画像形成開始指示を受信する第２ステップと、
前記画像形成開始指示に応答して、画像データに基づく画像の形成を開始する第３ステップと、を含む
ことを特徴とする画像形成方法。
【請求項１３】
画像形成装置から、画像形成の開始指示要求及び画像形成の内容を受信する受信部と、
前記画像形成装置に対して画像形成の開始を指示する画像形成開始指示を送信する送信部と、を備える
ことを特徴とする電子機器。
【請求項１４】
前記画像形成の内容に基づいて、画像形成される画像を表示する表示部と、
操作入力を検出する入力検出部と、をさらに備え、
前記送信部は、前記入力検出部による検出結果に基づいて、前記画像形成開始指示を送信する
ことを特徴とする請求項１３に記載の電子機器。
【発明の詳細な説明】
【技術分野】
【０００１】
本発明の一態様は、画像形成装置、画像形成方法、及び電子機器に関する。
【背景技術】
【０００２】
従来、プリンタにより印刷する場合、無線ＬＡＮ、有線ＬＡＮ、ＵＳＢ、またはプリンタケーブルなどを利用する方法が主流であり、印刷者はプリンタの近くで印刷を実行する必要があった。一方、印刷の開始のためにユーザによる認証を要求する、セキュリティ機能を備えたプリンタがある。このようなプリンタの例として、例えば特許文献１〜特許文献５に記載の技術がある。
【先行技術文献】
【特許文献】
【０００３】
【特許文献１】特開２０１１−１８０６４４号公報
【特許文献２】特開２００８−１３２７７４号公報
【特許文献３】特開２００８−０８３８５４号公報
【特許文献４】特開２００５−０５９２３４号公報
【特許文献５】特開２０００−２５３２４０号公報
【発明の概要】
【発明が解決しようとする課題】
【０００４】
しかしながら、３Ｇ／４Ｇなどの携帯電話の無線通信を利用して印刷を実行するプリンタを考えた場合、従来考えられなかった種々の課題が想定される。例えば、当該プリンタへアクセスするための携帯電話の番号など、アクセス方法が分かれば誰でも当該プリンタでの印刷を実行することができる可能性がある。しかし、プリンタが受信した印刷データが無条件に印刷されると、プリンタユーザが望まない印刷が実行されたり、意図しない印刷設定（用紙サイズ、解像度、カラー印刷の有無）で印刷されたりすることがある。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
外部機器（ユーザ端末２０）に対して画像形成の開始指示を要求する送信部（無線通信部１２０）と、
前記外部機器から画像形成開始指示を受信する受信部（無線通信部１２０）と、
前記画像形成開始指示に応答して、画像データに基づく画像の形成を開始する制御部（１００）と、を備える
ことを特徴とする画像形成装置（プリンタ装置１０）である。
【０００７】
また、本発明の別の手段は、
外部機器に対して画像形成の開始指示を要求する第１ステップと、
前記外部機器から画像形成開始指示を受信する第２ステップと、
前記画像形成開始指示に応答して、画像データに基づく画像の形成を開始する第３ステップと、を含む
ことを特徴とする画像形成方法である。
【０００８】
上記の画像形成装置または画像形成方法によれば、スマートフォンなどの外部機器を介して、画像形成装置（プリンタ）のユーザが画像形成を開始するか否かを判断して画像形成開始指示を送信することができる。これにより、上記画像形成装置または方法では、プリンタユーザが不要な画像形成を未然に防止することが可能となり、インク及び記録媒体である用紙などの無駄な消耗を防止することができる。
【０００９】
また、上記画像形成装置において、好ましくは、
第２外部機器（データ送信端末３０）から前記画像データを受信する通信部（携帯電話通信部１１０）をさらに備え、
前記制御部（１００）は、前記画像データに基づく画像を形成する。
【００１０】
上記構成の画像形成装置によれば、画像形成装置が第２外部装置としてのＰＣ端末などから受信した画像データに基づく画像形成を実行することが可能となる。
【００１１】
また、上記画像形成装置において、好ましくは、
前記送信部（無線通信部１２０）はさらに、前記外部機器（ユーザ端末２０）に対して画像形成の内容を送信する。
【００１２】
上記構成の画像形成装置によれば、外部装置を介して、画像形成装置のユーザが画像形成の内容を確認した上で画像形成を開始するか否かを判断することが可能となる。これにより、ユーザは、より効果的に画像形成を開始するか否かの判断をすることができる。
【００１３】
また、上記画像形成装置において、好ましくは、
前記画像形成の内容が、前記画像データに基づいて生成された第２画像データである。
【００１４】
上記構成の画像形成装置によれば、画像データに基づいて生成されたサムネイル画像などを、外部装置を介してユーザが確認することを可能にする。または、画像データに基づいて生成された、または画像データから抽出された印刷設定を、外部装置を介してユーザが確認することを可能にする。これにより、ユーザによる画像形成開始の判断の利便性を高めることができる。
【００１５】
また、上記画像形成装置において、好ましくは、
前記制御部（１００）は、前記第２外部機器（データ送信端末３０）が予め登録された機器である場合には、前記画像形成開始指示の受信に関係なく画像の形成を開始する。
【００１６】
上記構成の画像形成装置によれば、予め登録された第２外部装置（ＰＣ端末など）から受信した画像データに関しては、ユーザによる画像形成開始の判断を省略して、画像形成を開始することが可能となる。これにより、上記画像形成装置では、例えばユーザが外出先から印刷するためのデータを送信したような場合、または必ず印刷する所定のクーポンや災害情報などを印刷する場合などに、冗長な印刷開始判断を省略することなどが可能となる。
【００１７】
また、上記画像形成装置において、好ましくは、
前記制御部（１００）は、前記画像データに所定のデータが含まれている場合には、前記画像形成開始指示の受信に関係なく画像の形成を開始する。
【００１８】
上記構成の画像形成装置によれば、キーワードや暗号などの所定のデータが含まれる画像データに関しては、ユーザによる画像形成開始の判断を省略して、画像形成を開始することが可能となる。
【００１９】
また、上記画像形成装置において、好ましくは、
前記所定のデータが所定の文字列である。
【００２０】
上記構成の画像形成装置によれば、所定の文字列を含む画像データに関しては、ユーザによる画像形成開始の判断を省略して、画像形成を開始することが可能となる。これにより、画像形成装置は、比較的簡易な処理により、画像形成開始の判断を行うことが可能となる。
【００２１】
また、上記画像形成装置において、好ましくは、
前記通信部（携帯電話通信部１１０）は、前記制御部が前記画像データに基づく画像の形成を行わない場合、前記第２外部機器（データ送信端末３０）に対する通知を行う。
【００２２】
上記構成の画像形成装置によれば、画像形成装置の画像データを送信した第２外部機器（ＰＣなど）が、画像形成が行われたか否かを確認することが可能となる。
【００２３】
また、上記画像形成装置において、好ましくは、
前記制御部（１００）は、画像形成のためのインクの残量が所定量より少ない場合、画像形成を禁止する。
【００２４】
上記構成の画像形成装置によれば、インクの残量に応じて自動的に画像形成を行わない判定を行うことが可能となる。
【００２５】
また、上記画像形成装置において、好ましくは、
画像データを記憶する記憶部（メモリ１３０）をさらに備え、
前記制御部（１００）は、前記記憶部に記憶された画像データが所定量以上である場合には、画像形成を禁止する。
【００２６】
上記構成の画像形成装置によれば、画像形成装置に記憶された画像データ（印刷ジョブなど）が多く、受信した画像データを記憶できない場合には、自動的に画像形成を禁止することなどが可能となる。
【００２７】
また、上記画像形成装置において、好ましくは、
前記通信部（携帯電話通信部１１０）は、前記第２外部機器から受信した前記画像データが所定量以上である場合、前記第２外部機器に対して所定の形式での画像データの送信を要求する。
【００２８】
上記構成の画像形成装置によれば、第２外部機器（ＰＣなど）から送信された画像データのデータ容量が大きい場合、第２外部機器に対して、サムネイル画像、印刷設定、及び画像データを別々に送信することなどが可能となる。これにより、例えば、第２外部装置から送信された画像データのデータ容量が大きい場合に、サムネイル画像のみを最初に受信して、ユーザによる画像形成開始の判断を行うことなどが可能となる。これによって、プリンタ装置１０は、画像形成を実行することが確定していないデータサイズの大きい画像データの全体を受信することなく、ユーザに対して画像形成開始の判断を要求することが可能となる。
【００２９】
また、本発明の別の手段は、
画像形成装置（プリンタ装置１０）から、画像形成の開始指示要求及び画像形成の内容を受信する受信部（無線通信部２２０）と、
前記画像形成装置に対して画像形成の開始を指示する画像形成開始指示を送信する送信部（無線通信部２２０）と、を備える
ことを特徴とする電子機器（ユーザ端末２０）である。
【００３０】
上記構成の電子機器によれば、電子機器のユーザが、画像形成装置における画像形成の開始判断を行うことなどが可能となる。これにより、上記電子機器では、例えば、画像形成装置のユーザが不要な画像形成を未然に防止することが可能となり、インク及び記録媒体である用紙などの無駄な消耗を防止することができる。
【００３１】
また、上記電子機器において、好ましくは、
前記画像形成の内容に基づいて、画像形成される画像を表示する表示部（２４０）と、
操作入力を検出する入力検出部（２５０）と、をさらに備え、
前記送信部は、前記入力検出部による検出結果に基づいて、前記画像形成開始指示を送信する。
【００３２】
上記構成の電子機器によれば、電子機器のユーザが、表示部に表示された画像に基づいて画像形成の開始判断をすることが可能となる。
【図面の簡単な説明】
【００３３】
【図１】プリンタシステムの構成例を示す図。
【図２】プリンタ装置の構成例を示す図。
【図３】ユーザ端末の構成例を示す図。
【図４】データ送信端末の構成例を示す図。
【図５】実施形態１のプリンタ装置における印刷処理を示すフローチャート。
【図６】実施形態１のプリンタ装置における印刷処理を示すフローチャート。
【図７】実施形態１のユーザ端末における印刷開始判断処理を示すフローチャート。
【図８】ユーザ端末での表示例を示す図。
【図９】データ送信端末での表示例を示す図。
【図１０】実施形態２のプリンタ装置における印刷処理を示すフローチャート。
【図１１】実施形態３のユーザ端末における印刷開始判断処理を示すフローチャート。
【発明を実施するための形態】
【００３４】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）プリンタシステムの構成例
（２）動作例
（３）特徴
２．実施形態２
３．実施形態３
４．補足事項
【００３５】
＜１．実施形態１＞
まず、本発明の実施形態１について、図１〜図９を参照しながら説明する。本実施形態のプリンタシステムは、例えば３Ｇ／４Ｇなどの携帯電話回線などの無線通信回線を利用して、データ送信端末から画像データを受信することを想定している。そして、このプリンタシステムでは、データ送信端末から受信した印刷データ（画像データ及び印刷設定を含むデータ）をプリンタ装置が印刷する前にユーザ端末を介したユーザによる印刷物の事前確認を行うことを可能とする点を特徴のひとつとしている。以下、具体的に説明する。
【００３６】
＜（１）プリンタシステムの構成例＞
図１は、本実施形態のプリンタシステムの構成例を示すブロック図である。図１に示すように、本実施形態のプリンタシステムは、プリンタ装置１０、ユーザ端末２０、及びデータ送信端末３０を含んで構成される。また、図１に示されるように、プリンタ装置１０とデータ送信端末３０とは、無線通信回線４０を介して無線で接続される。ユーザ端末２０は、例えばスマートフォンやＰＣ（Ｐｅｒｓｏｎａｌ  Ｃｏｍｐｕｔｅｒ）などの電子機器である。データ送信端末３０は、例えばＰＣなどの電子機器である。ユーザ端末２０は、プリンタ装置１０の所有者が操作することが想定される。データ送信端末３０は、プリンタ装置１０の所有者またはそれ以外の第三者が操作することが想定される。本実施形態では、第三者がデータ送信端末３０を操作する場合を主に想定している。第三者がプリンタ装置１０に送信してくる印刷データは、例えば、地域災害の情報、クーポン、または広告などである。これらの印刷データは、プリンタユーザが印刷を希望するものか否かが不明である場合が多い。したがって、プリンタ装置１０はこれらを印刷するにあたり、プリンタ装置１０の所有者であるユーザに対して確認し、ユーザがユーザ端末２０を操作して印刷を許可したものだけを印刷するものとしている。
【００３７】
＜プリンタ装置１０＞
プリンタ装置１０は、記録媒体である用紙などに対して、インクなどにより画像を形成する画像形成装置である。図２は、プリンタ装置１０の構成例を示す図である。図２に示されるように、プリンタ装置１０は、制御部１００、携帯電話通信部１１０、無線通信部１２０、メモリ１３０、及び印刷部１４０を含んで構成される。
【００３８】
＜携帯電話通信部１１０＞
携帯電話通信部１１０は、無線通信回線４０を介してデータ送信端末３０との情報（データ）の送受信を行うよう構成される。より具体的には、携帯電話通信部１１０は、無線通信回線４０を介して、データ送信端末３０から印刷すべき印刷データ（画像データ及び印刷設定に関する情報を含む）を受信する。携帯電話通信部１１０は、受信した印刷データを制御部１００に出力する。また、携帯電話通信部１１０は、データ送信端末３０に対して、所定のデータの送信を要求する情報を送信する。さらに、携帯電話通信部１１０は、データ送信端末３０に対して、印刷を行ったか否かを通知するための情報を送信する。
【００３９】
＜無線通信部１２０＞
無線通信部１２０は、ユーザ端末２０との間で情報（データ）の送受信を無線で行うよう構成される。より具体的には、無線通信部１２０は、ユーザ端末２０に対して印刷（画像形成）の開始指示を要求する情報を送信し、ユーザ端末２０から印刷の開始を指示する情報を受信するよう構成される。また、無線通信部１２０は、ユーザ端末２０に対して印刷の開始指示を要求するとき、印刷の開始指示を要求しようとする印刷データ、またはこの印刷データ（画像データ）に基づき生成されたサムネイル画像などの、印刷の内容を示すデータを送信する。無線通信部１２０は、例えば無線ＬＡＮなどによりユーザ端末２０と通信する。
【００４０】
＜メモリ１３０＞
メモリ１３０は、制御部１００の制御により、必要なデータを記憶するよう構成される。特に本実施形態では、メモリ１３０は、制御部１００が携帯電話通信部１１０から受信した印刷データを記憶する。また、メモリ１３０は、ユーザにより登録された、ユーザによる印刷事前確認を行うことなく印刷するデータ送信端末に関する情報を記憶する。このようなデータ送信端末に関する情報は、例えば、データ送信端末のアドレス情報などの識別情報である。また、メモリ１３０は、ユーザにより登録された、ユーザによる印刷事前確認を行うことなく印刷を禁止するデータ送信端末に関する情報を記憶することもできる。メモリ１３０は、制御部１００により実行されるファームウェアなどを記憶することも可能である。
【００４１】
＜印刷部１４０＞
印刷部１４０は、制御部１００の制御により、例えばプリンタ装置１０がインクジェット方式のプリンタである場合には、プリントヘッド、及びこのプリントヘッドを駆動する駆動部、記録媒体である用紙を搬送する搬送機構などを含んで構成される。印刷部１４０は、記録媒体に対してインクを吐出することで、記録媒体に対して所定の画像を形成する（印刷する）。なお、印刷部１４０は、必ずしもインクジェット方式のプリンタに限定されるものではなく、レーザー方式のプリンタであってもよいし、他の方式を採用したプリンタであってもよい。
【００４２】
＜制御部１００＞
制御部１００は、プリンタ装置１０に含まれる各要素を制御するよう構成される。
【００４３】
制御部１００は、データ送信端末３０から携帯電話通信部１１０が受信した印刷データをメモリ１３０に記憶させる。制御部１００は、このとき、ユーザ端末２０に対して無線通信部１２０を介して、受信した印刷データに基づく印刷を開始することを指示する印刷開始指示を要求する情報と、この印刷データまたは画像データに基づいて生成されたサムネイル画像と印刷設定に関する情報を送信する。
【００４４】
制御部１００は、ユーザ端末２０に対してサムネイル画像を送信する場合には、受信した印刷データに基づいてサムネイル画像を生成する処理を行う。ただし、制御部１００は、データ送信端末３０から受信した印刷データが所定のデータ容量（例えば１ＭＢ）よりも大きい場合には、このデータ送信端末３０に対してサムネイル画像、画像データ、及び印刷設定を別々のデータとして送信するよう要求するよう無線通信部１２０を制御する。この場合、制御部１００は、受信したサムネイル画像をユーザ端末２０に対して送信するよう無線通信部１２０を制御する。
【００４５】
制御部１００は、ユーザ端末２０から、無線通信部１２０を介して印刷開始指示を受信したら、印刷部１４０に対して、印刷開始指示の対象となる印刷データに基づく印刷の開始を指示する。また、制御部１００は、データ送信端末３０が、予めメモリ１３０に登録されたデータ送信端末である場合には、ユーザ端末２０を介したユーザによる印刷開始指示の判断を行うことなく、印刷部１４０に印刷データに基づく印刷の開始を指示する。または、制御部１００は、データ送信端末３０から受信した印刷データ（画像データ）に所定の文字列が含まれている場合にも、ユーザ端末２０を介したユーザによる印刷開始指示の判断を行うことなく、印刷部１４０に対して印刷を指示してもよい。ここで、印刷データに含まれる所定の文字列は、キーワードや暗号などである。また、このような所定の文字列は、文字列以外の暗号やデータに置き換えられてもよい。
【００４６】
一方、制御部１００は、ユーザ端末２０から、無線通信部１２０を介して、印刷データに基づく印刷を禁止する（許可しない）印刷禁止指示を受信したら、印刷開始指示の対象となる印刷データに基づく印刷を禁止する。
【００４７】
制御部１００は、データ送信端末３０から受信した印刷データに基づく画像を印刷したか否かに関する通知情報を、携帯電話通信部１１０を介してデータ送信端末３０に対して送信することができる。特に、印刷データに基づく印刷が実行されなかった場合、制御部１００は、データ送信端末３０に対して、印刷を行わなかったことを通知する。制御部１００は、このようなデータ送信端末３０に対する通知を、例えば電子メールまたは所定のアプリケーションソフトを介した方法で通知することができる。
【００４８】
制御部１００は、プリンタ装置１０で使用されるインクの残量を確認することができる。そして、制御部１００は、インクの残量が所定量より少ないと判断した場合には、受信した印刷データに基づく印刷を禁止することができる。
【００４９】
また、制御部１００は、メモリ１３０に記憶された印刷データのデータ容量が所定量以上であり、メモリ１３０でこれ以上印刷データを記憶できない場合、またはそのおそれがある場合には、受信した印刷データをメモリ１３０に記憶させることなく、当該印刷データに基づく印刷を禁止することができる。
【００５０】
＜ユーザ端末２０＞
ユーザ端末２０は、プリンタ装置１０から印刷（画像形成）の開始指示の要求と、印刷しようとする画像の内容を受信し、プリンタ装置１０に対して印刷開始指示（画像形成開始指示）を送信するよう構成される。図３は、ユーザ端末２０の構成例を示す図である。図３に示されるように、ユーザ端末２０は、制御部２００、無線通信部２２０、メモリ２３０、表示部２４０、及び入力検出部２５０を含んで構成される。ユーザ端末２０は、例えば、スマートフォン、タブレット端末、またはＰＣなどの電子機器である。ユーザ端末２０は、プリンタ装置１０の所有者が操作することが想定される。
【００５１】
＜無線通信部２２０＞
無線通信部２２０は、プリンタ装置１０との間で情報（データ）の送受信を行うよう構成される。より具体的には、無線通信部２２０は、プリンタ装置１０から印刷（画像形成）の開始指示を要求する情報を受信し、プリンタ装置１０に対して印刷の開始を指示する情報として印刷開始指示を送信するよう構成される。また、無線通信部２２０は、プリンタ装置１０から印刷データ、またはサムネイル画像、画像データ、及び印刷設定などを受信することができる。無線通信部２２０は、受信した印刷の開始指示を要求する情報を、制御部２００に出力する。
【００５２】
＜メモリ２３０＞
メモリ２３０は、制御部２００の制御により、必要なデータを記憶するよう構成される。本実施形態では、メモリ２３０は、プリンタ装置１０から受信した印刷データ、または印刷設定、画像データ、及びサムネイル画像を記憶する。メモリ２３０は、ユーザ端末２０で操作されるアプリケーションソフトなどを記憶することもできる。
【００５３】
＜表示部２４０＞
表示部２４０は、液晶表示装置または有機ＥＬ表示装置などの表示装置で構成され、制御部２００の制御により、ユーザに視認可能な状態で画像を表示するよう構成される。本実施形態では、表示部２４０は、プリンタ装置１０から受信した画像データ、印刷設定、及びサムネイル画像を、制御部２００の制御により、所定の態様で表示する。
【００５４】
＜入力検出部２５０＞
入力検出部２５０は、ユーザによる操作入力を検出し、検出結果を制御部２００に出力するよう構成される。入力検出部２５０は、指または操作具による接触や近接を検出するセンサ、またはキーの押下を検出する押下検出部などで構成される。入力検出部２５０は、表示部２４０と一体的に構成されたタッチパネルであってもよい。
【００５５】
＜制御部２００＞
制御部２００は、ユーザ端末２０に含まれる各要素を制御するよう構成される。
【００５６】
制御部２００は、プリンタ装置１０から受信した、印刷開始指示を要求する情報と、画像データ、サムネイル画像、及び印刷設定に関する情報とを表示部２４０に表示させる。そして制御部２００は、ユーザに対して、プリンタ装置１０で印刷データに基づく印刷を開始するか否かを確認するため、表示部２４０に、印刷を開始するか否かの選択を促す表示を行う。
【００５７】
制御部２００は、入力検出部２５０によるユーザの操作入力の検出の結果、印刷を開始するか否かを確認する。印刷を開始する場合、制御部２００は無線通信部２２０からプリンタ装置１０に対して、印刷開始指示を送信する処理を行う。また、印刷を開始しない場合には、制御部２００は無線通信部２２０からプリンタ装置１０に対して印刷を禁止する印刷禁止指示を送信する処理を行う。
【００５８】
制御部２００は、ユーザの操作に基づいて、プリンタ装置１０から受信した印刷データに対応する印刷設定を変更することができる。例えば、ユーザが入力検出部２５０により、印刷データに基づく印刷を片面印刷から両面印刷に変更する操作を行ったら、制御部２００は、この印刷設定に関する情報を、印刷開始指示とともにプリンタ装置１０に送信する。
【００５９】
＜データ送信端末３０＞
データ送信端末３０は、プリンタ装置１０に対して、印刷すべき画像の印刷データ（画像データ及び印刷設定を含む）などを送信するよう構成される。図４は、データ送信端末３０の構成例を示す図である。図４に示されるように、データ送信端末３０は、制御部３００、携帯電話通信部３１０、メモリ３３０、表示部３４０、及び入力検出部３５０を含んで構成される。データ送信端末３０は、例えばＰＣなどの電子機器である。データ送信端末３０は、プリンタ装置１０の所有者、またはそれ以外の第三者が操作することが想定される。
【００６０】
＜携帯電話通信部３１０＞
携帯電話通信部３１０は、無線通信回線４０を介してプリンタ装置１０との情報（データ）の送受信を行うよう構成される。より具体的には、携帯電話通信部３１０は、制御部３００の制御により、無線通信回線４０を介して、プリンタ装置１０に対して印刷すべき印刷データ（画像データ及び印刷設定に関する情報を含む）を送信する。また、携帯電話通信部３１０は、プリンタ装置１０に対して、要求に応じてサムネイル画像などを送信する。また、携帯電話通信部３１０は、プリンタ装置１０から、所定のデータの送信を要求する情報を受信する。携帯電話通信部３１０は、プリンタ装置１０から受信した、所定のデータの送信要求を制御部３００に出力する。
【００６１】
＜メモリ３３０＞
メモリ３３０は、制御部３００の制御により、必要なデータを記憶するよう構成される。本実施形態では、メモリ３３０は、プリンタ装置１０に対して送信する印刷データなどを記憶する。また、メモリ３３０は、制御部３００により実行されるファームウェアなどを記憶することも可能である。
【００６２】
＜表示部３４０＞
表示部３４０は、液晶表示装置または有機ＥＬ表示装置などの表示装置で構成され、制御部３００の制御により、ユーザに視認可能な状態で画像を表示するよう構成される。本実施形態では、表示部３４０は、プリンタ装置１０に対して送信しようとする印刷データ（画像データ、印刷設定、及びサムネイル画像を含む）を表示する。
【００６３】
＜入力検出部３５０＞
入力検出部３５０は、データ送信端末３０のユーザによる操作入力を検出し、検出結果を制御部３００に出力するよう構成される。入力検出部３５０は、例えばキーボードまたはマウスなどの操作具を含んでもよいし、タッチセンサーなどを含んでもよい。
【００６４】
＜制御部３００＞
制御部３００は、データ送信端末３０に含まれる各要素を制御するよう構成される。
【００６５】
制御部３００は、データ送信端末３０のユーザの操作により選択された印刷データを、プリンタ装置１０に対して送信するよう携帯電話通信部３１０に指示する。
【００６６】
制御部３００は、携帯電話通信部３１０を介して、プリンタ装置１０から、サムネイル画像、画像データ、及び印刷設定を別々のデータとして送信する要求を受信した場合、要求されたサムネイル画像、画像データ、及び印刷設定を印刷データに基づいて生成（分割）し、携帯電話通信部３１０を介して、プリンタ装置１０に対して送信する。この処理は、上記要求を受信したときに制御部３００が自動的に行ってもよいし、データ送信端末３０のユーザに対して処理を促す方法を採ってもよい。制御部３００は、上記のサムネイル画像、画像データ、及び印刷設定を、別々かつ順番に送信してもよい。
【００６７】
＜無線通信回線４０＞
無線通信回線４０は、プリンタ装置１０とデータ送信端末３０との間の通信に介在する通信回線である。無線通信回線４０は、例えば携帯電話回線である。
【００６８】
＜（２）動作例＞
次に、本実施形態のプリンタシステムにおける処理について、図５〜図９を参照しながら説明する。
【００６９】
＜プリンタ装置における処理＞
まず、プリンタ装置１０における印刷処理について、図５及び図６を参照しながら説明する。図５及び図６は、本実施形態のプリンタ装置１０における印刷処理を示すフローチャートである。
【００７０】
＜Ｓ４００＞
まず、データ送信者がデータ送信端末３０を操作してプリンタ装置１０に対して印刷データ（画像データ及び印刷設定を含む）を送信すると、プリンタ装置１０の携帯電話通信部１１０は、この印刷データを受信して制御部１００に出力する。制御部１００は、この印刷データをメモリ１３０に記憶させる。そして、プリンタ装置１０では印刷処理が開始される（Ｓ４００）。
【００７１】
＜Ｓ４１０＞
制御部１００は、プリンタ装置１０の状態が正常であるかの確認として、記録媒体である用紙があるか、及び記録媒体に吐出するインクの残量が十分であるかを確認する（Ｓ４１０）。
【００７２】
＜Ｓ４２０＞
プリンタの状態が正常であり、用紙やインクの残量が十分であれば（Ｓ４１０でＹ）、次に制御部１００は、受信データが適切なデータであるかを確認する（Ｓ４２０）。具体的には、制御部１００は、受信データが印刷データ、またはプリンタ装置１０で必要なドライバまたはファームウェアなどのデータであるか否かを確認する。
【００７３】
＜Ｓ４３０＞
プリンタの状態が正常でない（Ｓ４１０でＮ）、または受信データが適切なデータではない場合（Ｓ４２０でＮ）には、制御部１００は、携帯電話通信部１１０を制御して、このデータの送信元であるデータ送信端末３０に対して、印刷ができない旨の通知を行う（Ｓ４３０）。
【００７４】
＜Ｓ４４０＞
次に制御部１００は、画像データの送信元であるデータ送信端末３０が、事前に登録された送信元のデータ送信端末３０であるかどうかを、メモリ１３０に記憶された登録送信元リストを参照することで確認する（Ｓ４４０）。登録送信元リストは、ユーザにより事前に登録された印刷データの送信元の一覧であり、例えば送信元となるデータ送信端末３０のＩＰアドレス、ＭＡＣアドレスなどのアドレス情報、またはデータ送信端末３０を識別するための識別情報である。
【００７５】
＜Ｓ４５０＞
画像データの送信元であるデータ送信端末３０が、事前に登録された送信元である場合（Ｓ４４０でＹ）、プリンタ装置１０は、受信した印刷データに基づいて印刷を実行するため、印刷部１４０に印刷指示をする（Ｓ４５０）。
【００７６】
＜Ｓ４６０〜Ｓ４９０＞
上記制御部１００から印刷部１４０に対する印刷指示が行われたものの、何らかのエラーで印刷が開始されない、または正常に完了しない場合には（Ｓ４６０でＹ）、制御部１００は、プリンタ装置１０の所有者として登録されたユーザに対してエラー発生通知を送信するよう、無線通信部１２０に対して指示をする（Ｓ４９０）。一方、エラーが発生することなく印刷が完了した場合には（Ｓ４６０でＮ）、プリンタ装置１０の所有者として登録されたユーザに対して印刷完了通知を送信するよう、無線通信部１２０に対して指示をし（Ｓ４８０）、印刷処理を終了する（Ｓ４８０）。
【００７７】
＜Ｓ５００＞
ところで、Ｓ４４０の処理において、印刷データの送信元であるデータ送信端末３０が、事前に登録された送信元ではないと制御部１００が判断した場合（Ｓ４４０でＮ）、制御部１００は、受信した印刷データの容量が閾値（例えば１ＭＢ）以上であるか否かを確認する（図６のＳ５００）。
【００７８】
＜Ｓ５１０＞
受信した印刷データの容量が閾値未満である場合には（Ｓ５００でＮ）、制御部１００は、プリンタ装置１０の所有者であるユーザが保有するユーザ端末２０に対して、この印刷データに基づく印刷を開始することを指示する印刷開始指示を要求するよう、無線通信部１２０を制御する。このとき、制御部１００は、受信した印刷データに基づいて、印刷される画像を縮小してデータサイズを小さくしたサムネイル画像を作成し、印刷開始指示の要求とともにユーザ端末２０に対して送信する。このとき、制御部１００は、印刷データに含まれる画像データをどのように印刷するかを指定する印刷設定と、印刷データの送信者に関する情報もあわせて送信する。このときのユーザ端末２０での処理については後述する。
【００７９】
＜Ｓ５２０〜Ｓ５５０＞
次に、制御部１００は、上記ユーザ端末２０に対するサムネイル画像及び印刷設定の送信に応答してユーザ端末２０から印刷開始指示を受信したか否かを判定する（Ｓ５２０）。ユーザ端末２０から印刷開始指示を受信した場合（Ｓ５２０でＹ）、制御部１００は印刷部１４０に対して、この印刷開始指示に対応する印刷データに基づく印刷の開始を指示する。印刷部１４０は、この印刷指示に応答して印刷を開始する（Ｓ５３０）。制御部１００は、印刷部１４０での印刷が完了したことを検出すると、印刷を完了した印刷データの送信元であるデータ送信端末３０に対して、印刷か完了したことを通知するよう、携帯電話通信部１１０を制御する（Ｓ５４０）。そして、プリンタ装置１０における印刷処理が完了する（Ｓ５５０）。
【００８０】
このとき、制御部１００は、印刷データの送信元だけではなく、プリンタユーザに対しても印刷完了を通知するため、ユーザ端末２０に対しても印刷完了通知を送信してもよい。
【００８１】
また、制御部１００は、ユーザ端末２０から、印刷開始指示とともに、印刷設定または印刷設定の変更に関する情報を受信してもよい。この場合、制御部１００は、受信した印刷設定または印刷設定の変更情報に基づく印刷を行うよう設定する。
【００８２】
＜Ｓ５６０＞
ところで、Ｓ５００の処理において、受信した印刷データの容量が閾値以上である場合には（Ｓ５００でＹ）、制御部１００は、プリンタ装置１０のメモリ１３０における画像データの記憶領域のデータ容量の残量が十分であるかどうかを確認する（Ｓ５６０）。
【００８３】
＜Ｓ５７０＞
プリンタ装置１０のメモリ１３０における印刷データの記憶領域のデータ容量の残量が十分ではない場合（Ｓ５６０でＮ）、またはＳ５２０の処理において、ユーザ端末２０から印刷開始指示を受信しなかった場合（Ｓ５２０でＮ）、制御部１００は当該印刷データに基づく印刷の実行を取りやめる。そして、制御部１００は、この印刷データの送信元であるデータ送信端末３０に対して、印刷を行わなかったことを示す印刷不可の通知を行うよう携帯電話通信部１１０を制御する。この印刷不可の通知を受信したデータ送信端末３０では、制御部３００が印刷不可を示す情報を表示部３４０に表示させる。なお、ユーザ端末２０から印刷開始指示を受信しなかった場合の例としては、プリンタ装置１０がユーザ端末２０から、印刷を禁止する（許可しない）印刷禁止指示を受信する場合、または所定の時間が経過しても印刷開始指示を受信しない場合、などの場合である。
【００８４】
＜Ｓ５８０＞
一方、受信した画像データのデータサイズは大きいものの、プリンタ装置１０のメモリ１３０における印刷データの記憶領域のデータ容量の残量が十分である場合（Ｓ５６０でＮ）、制御部１００は、送信元であるデータ送信端末３０に対して、データを分割送付するよう依頼するための要求を送信する（Ｓ５８０）。データの分割送付の例としては、最初にサムネイル画像を送信し、その後、プリンタ装置１０で印刷開始が決定したタイミングで、プリンタ装置１０から要求に応じて画像データと印刷設定を送信する方法などがある。なお、印刷設定はどちらのタイミングで送信されてもよい。データ送信端末３０では、このデータの分割送付要求に応答して、画像データに基づいてサムネイル画像を生成するなど、要求された形式で印刷データを分割して、プリンタ装置１０に対して再送する。
【００８５】
＜Ｓ５９０〜Ｓ６００＞
上記データの分割送付要求に対してデータ送信端末３０からサムネイル画像のデータが送信されてきたら、携帯電話通信部１１０はこのデータを受信して制御部１００に出力する（Ｓ５９０）。制御部１００は、受信したサムネイル画像のデータをプリンタユーザが保有するユーザ端末２０に送信する（Ｓ６００）。
【００８６】
＜Ｓ６１０〜Ｓ６２０＞
次に、制御部１００は、上記ユーザ端末２０に対するサムネイル画像の送信に応答してユーザ端末２０から印刷開始指示を受信したか否かを判定する（Ｓ６１０）。ユーザ端末２０から印刷開始指示を受信した場合（Ｓ６１０でＹ）、制御部１００は、データ送信端末３０に対して画像データと印刷設定との送信を要求する（Ｓ６２０）。データ送信端末３０では、制御部３００が、メモリ３３０に記憶されている画像データ及び印刷設定をプリンタ装置１０に対して送信する。プリンタ装置１０が画像データ及び印刷設定を受信すると、Ｓ５３０の処理に移行して印刷を開始する。
【００８７】
＜Ｓ６３０＞
一方で、ユーザ端末２０から印刷開始指示を受信しない場合（Ｓ６１０でＹ）、具体的にはユーザが印刷を許可しなかったり、所定の時間を経過しても印刷開始指示を受信しかなかったりした場合、制御部１００は当該印刷データに基づく印刷の実行を取りやめる。そして、制御部１００は、この画像データの送信元であるデータ送信端末３０に対して、印刷を行わなかったことを示す印刷不可の通知を行うよう携帯電話通信部１１０を制御する。この印刷不可の通知を受信したデータ送信端末３０では、制御部３００が印刷不可を示す情報を表示部３４０に表示させる。
【００８８】
＜ユーザ端末における処理＞
次に、ユーザ端末２０における処理について、図７を参照しながら説明する。図７は、本実施形態のユーザ端末２０における印刷開始判断処理を示すフローチャートである。
【００８９】
＜Ｓ７００〜Ｓ７１０＞
まず、ユーザ端末２０の無線通信部２２０がプリンタ装置１０から印刷開始指示の要求、及びサムネイル画像を受信すると（Ｓ７００）、制御部２００は、印刷の内容として、このサムネイル画像と、関連する情報を表示部２４０に表示する（Ｓ７１０）。表示部２４０には、印刷データの送信者に関する情報、及び印刷される印刷データのサムネイル画像などが表示される。
【００９０】
図８は、上記のときのユーザ端末２０の表示部２４０の表示例を示す図である。図８に示されるように、表示部２４０には、印刷データの送信者名（２０１）、送信者のメールアドレス（２０２）、送信者の印刷データを過去に印刷した印刷履歴（２０３）、印刷データの送信日時（２０４）、送信者からのコメント（２０５）、サムネイル画像（２０６）、及び送信者が登録されているか否かを示す情報（２０７）などが表示される。また、表示部２４０の下部には、ユーザに対して印刷を開始するか否かの判定を促すボタン（２０８及び２０９）が表示される。
【００９１】
ここで、ユーザが印刷を開始するため、ＹＥＳボタン２０８にタッチすると、入力検出部２５０はこの操作入力を検出して制御部２００に出力する。制御部２００は、これに応じて、無線通信部２２０を介してプリンタ装置１０に対して印刷開始指示を送信する。一方、ユーザが印刷を行わないため、ＮＯボタン２０９にタッチすると、入力検出部２５０はこの操作入力を検出して制御部２００に出力する。制御部２００は、これに応じて、無線通信部２２０を介してプリンタ装置１０に対して印刷禁止指示を送信する。
【００９２】
＜Ｓ７２０〜Ｓ７５０＞
次に、制御部２００は、入力検出部２５０による検出結果に基づき、ユーザにより印刷開始が選択されたか否かを判定する（Ｓ７２０）。ユーザにより印刷開始が選択されたと判定した場合（Ｓ７２０でＹ）、制御部２００は、プリンタ装置１０に対して印刷開始指示を送信するよう無線通信部２２０に指示し（Ｓ７３０）、ユーザ端末処理を終了する（Ｓ７５０）。一方で、ユーザにより印刷を開始しないことが選択されたと判定した場合（Ｓ７２０でＮ）、制御部２００は、プリンタ装置１０に対して印刷禁止指示を送信するよう無線通信部２２０に指示し（Ｓ７３０）、ユーザ端末処理を終了する（Ｓ７５０）。
【００９３】
このとき、ユーザは印刷データの印刷設定を指定または変更することができる。この場合、制御部２００は、入力検出部２５０の検出結果に基づいて、変更された印刷設定または印刷設定の変更に関する情報をプリンタ装置１０に対して送信する。
【００９４】
＜データ送信端末における処理＞
次に、データ送信端末におけるデータ送信処理について説明する。
【００９５】
データ送信者がデータ送信端末３０を操作してプリンタ装置１０に対して印刷データを送信する操作を行うと、制御部３００は、携帯電話通信部３１０を介して、プリンタ装置
１０に対して印刷データを送信する。この印刷データには、画像データ本体及び印刷設定の他に、送信者の名前（名称）、送信者のメールアドレス、データ送信日時、及びコメントが含まれてもよい。このとき、送信者の名前（名称）及びメールアドレスは、メモリ３３０に記憶されている情報がそのまま印刷データに付加されて送信される。データ送信日時は、制御部３００が備えるタイマーに基づいて、印刷データに付加される。また、コメントは、入力検出部３５０が検出した、データ送信者がキーボードなどで入力した内容に基づいて印刷データに付加される。
【００９６】
図９は、上記のように印刷データを送信しようとするときのデータ送信端末３０の表示部３４０の表示例を示す図である。図９に示されるように、表示部３４０には、印刷データの送信先（３０１）、及びデータ送信者が入力したコメント（３０２）が表示される。なお、当該表示形式はあくまで一例であって、必要な情報を表示することができれば他の表示形式を採用してもよい。
【００９７】
＜（３）特徴＞
上記の本実施形態のようなプリンタ装置１０によれば、外部機器としてのユーザ端末２０に対して印刷開始指示を要求し、印刷開始指示を受信した場合に、印刷データ（画像データを含む）に基づく印刷を実行するようにしている。また、ユーザ端末２０では、プリンタ装置１０で印刷しようとする印刷データの内容を受信し、ユーザが印刷開始指示を送信した場合に、プリンタ装置１０での印刷を許可するようにしている。そのため、これらのプリンタ装置１０またはユーザ端末２０によって、プリンタユーザが印刷を開始するか否かを判断した上で印刷を開始することができる。これにより、プリンタユーザが不要な画像形成を未然に防止することが可能となり、インク及び記録媒体である用紙などの無駄な消耗を防止することができる。
【００９８】
また、上記本実施形態のようなプリンタ装置１０では、ユーザ端末２０とは別の外部端末としてのデータ送信端末３０から印刷データを受信して、この受信した印刷データに基づいて印刷を実行する。そのため、このプリンタ装置１０では、外部から受信した印刷データに基づいて印刷を実行することができる。
【００９９】
また、上記本実施形態のようなプリンタ装置１０では、ユーザ端末２０に対して、印刷の内容を示す情報などを送信する。これによって、このプリンタ装置１０では、ユーザが印刷の内容を適切に把握し、確認した上で、印刷を開始するか否かを判断させることができる。これにより、ユーザはより効果的に印刷を開始するかどうかを判断することが可能となる。
【０１００】
また、上記本実施形態のようなプリンタ装置１０では、印刷データ（画像データ）に基づいて生成されたサムネイル画像などをユーザ端末２０に対して送信する。これによって、ユーザは画像データに基づいて生成された、印刷の内容を確認しやすいサムネイル画像などを見て印刷開始の判断をすることが可能となる。これにより、ユーザによる印刷開始判断の利便性を高めることができる。
【０１０１】
また、上記本実施形態のようなプリンタ装置１０では、データ送信端末３０が予めユーザにより登録されている場合には、画像形成開始指示を待つことなく印刷を開始している。これによって、プリンタ装置１０では、例えばユーザが外出先から画像形成指示を送信したような場合、または必ず印刷する所定のクーポンや災害情報などを印刷する場合などに、冗長な印刷開始判断を省略することなどが可能となる。
【０１０２】
また、上記本実施形態のようなプリンタ装置１０では、印刷データに基づく印刷を行わない場合に、データ送信端末３０に対して印刷不可の通知を行っている。これによって、プリンタ装置１０に対して印刷データを送信したデータ送信端末３０は、印刷が実行されたか否かを確認することが可能となる。これにより、例えばより効率的な印刷データ送受信システムを提供することなどが可能となる。
【０１０３】
また、上記本実施形態のようなプリンタ装置１０では、印刷のためのインク残量が所定量より少ない場合に、印刷を禁止する処理を行っている。これによって、プリンタ装置１０では、インク残量に応じて自動的に画像形成を行わない判定をすることなどが可能となる。
【０１０４】
また、上記本実施形態のようなプリンタ装置１０では、データ送信端末３０から受信した印刷データが所定のデータ量以上である場合には、データ送信端末３０に対して、データの分割送付を要求している。このため、本実施形態のプリンタ装置１０は、データ送信端末３０から送信された印刷データのデータサイズが大きい場合に、サムネイル画像のみを最初に受領して、ユーザによる印刷開始の判断をさせることなどが可能となる。これによって、プリンタ装置１０は、印刷することが確定していないデータサイズの大きい画像データの全体を受信することなく、ユーザに対して印刷開始の判断を要求することが可能となる。
【０１０５】
＜２．実施形態２＞
次に、本発明の実施形態２について、図１０を参照しながら説明する。本実施形態のプリンタシステムの構成は実施形態１と同様である。本実施形態のプリンタシステムに含まれるプリンタ装置１０は、実施形態１における印刷処理の一部が相違するため、この相違点を中心に説明し、実施形態１と同様の事項についてはその説明を省略する。
【０１０６】
図１０は、本実施形態のプリンタ装置１０における印刷処理を示すフローチャートである。このフローチャートは、実施形態１における印刷処理（図５参照）のうちのＳ４４０の処理がＳ４４１の処理に置き換えられている。
【０１０７】
＜Ｓ４４１＞
印刷データを受信したプリンタ装置１０の状態が正常であって（Ｓ４２０でＹ）、この印刷データが適切なデータであった場合（Ｓ４３０でＹ）、制御部１００は、この受信した印刷データに所定のキーワードが含まれるか否かを判定する（Ｓ４４１）。所定のキーワードは例えばプリンタユーザの氏名または社名などであり、プリンタユーザにより予め登録される。メモリ１３０は、プリンタユーザにより登録されたキーワードを記憶している。制御部１００は、このメモリ１３０に記憶されたキーワードに基づき、印刷データにキーワードが含まれるか否かを判定する。
【０１０８】
印刷データに所定のキーワードが含まれていた場合（Ｓ４４１でＹ）、Ｓ４５０の処理に移行して印刷を実行する（Ｓ４５０）。一方、印刷データに所定のキーワードが含まれていない場合（Ｓ４４１でＮ）、プリンタ装置１０はＳ５００以降の処理（図６）を行う。
【０１０９】
上記本実施形態のようなプリンタ装置１０によれば、印刷データ（画像データ）に所定のキーワードが含まれる場合には、印刷開始指示の受信に関わらず印刷を開始する。これによって、本実施形態のプリンタ装置１０では、ユーザによる印刷開始の判断を省略して印刷を開始することができる。
【０１１０】
特に、上記実施形態のプリンタ装置１０では、所定の文字列が含まれることを印刷開始の判断基準としているため、比較的容易な処理により、印刷開始判断を行うことができる。
【０１１１】
なお、印刷データに対するプリンタユーザの確認なく印刷を開始するのは、印刷データに所定のキーワードが含まれる場合に限定されるものではなく、印刷データに所定のデータが含まれている場合にも適用可能である。
【０１１２】
また、プリンタ装置１０では、例えば、印刷データ（画像データ）に所定の暗号データが含まれていることを印刷開始の判断基準とすることもできる。このようなプリンタ装置１０では、暗号データを利用することで、セキュリティ性を高めることが可能となる。
【０１１３】
＜３．実施形態３＞
次に、本発明の実施形態３について、図１１を参照しながら説明する。本実施形態のプリンタシステムの構成は実施形態１と同様である。本実施形態のプリンタシステムに含まれるユーザ端末２０では、実施形態１における印刷開始判断処理の一部が相違するため、この相違点を中心に説明し、実施形態１と同様の事項についてはその説明を省略する。
【０１１４】
図１１は、本実施形態のユーザ端末２０における印刷開始判断処理を示すフローチャートである。このフローチャートは、実施形態１における印刷開始判断処理（図７参照）において、Ｓ７１０とＳ７２０との処理の間にＳ７１１及びＳ７１２の処理が追加されている。
【０１１５】
＜Ｓ７１１＞
制御部２００が、印刷の内容を示すサムネイル画像と、関連する情報とを表示部２４０に表示した後（Ｓ７１０）、ユーザが詳細な印刷データを要求する操作を行ったことを入力検出部２５０が検出したら（Ｓ７１１でＹ）、制御部２００は、無線通信部２２０を制御して、プリンタ装置１０に対して詳細な印刷データを要求する。
【０１１６】
上記詳細な印刷データの要求を受信したプリンタ装置１０の制御部１００は、印刷しようとする印刷データをユーザ端末２０に対して送信する。
【０１１７】
＜Ｓ７１２＞
上記印刷データを受信したユーザ端末２０の制御部２００は、この印刷データをメモリ２３０に記憶させる。そして、制御部２００は、この印刷データに基づく画像を表示部２４０に表示する（Ｓ７１２）。ここで表示部２４０に表示される画像は、サムネイル画像ではなく印刷データ（画像データ）自体に基づいているため、ユーザ端末２０のユーザは、サムネイル画像よりも詳細に印刷データ（画像データ）を確認することができる。ユーザは、このようにして表示部２４０に表示された画像に基づいて、印刷を開始するか否かを判定する（Ｓ７２０）。
【０１１８】
上記本実施形態のようなプリンタ装置１０によれば、ユーザ端末２０を操作するユーザの操作に応じて、サムネイル画像の確認では不十分である場合に詳細な印刷データをユーザ端末２０に対して送信している。これにより、ユーザによる印刷開始の判断の利便性を高めることが可能となる。
【０１１９】
なお、ユーザ端末２０の要求に応じてプリンタ装置１０から送信されるデータは、印刷データそのものである必要はなく、最初に送付したサムネイル画像よりも詳細な画像のデータなどであってもよい。このように、最初に送付したサムネイル画像などのデータよりも詳細なデータを次のタイミングで送信することで、最初に送信するデータのサイズを小さくして通信負荷を軽減すると共に、必要な場合には詳細なデータを確認することができるようになる。
【０１２０】
＜４．補足事項＞
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【０１２１】
上記各実施形態は、互いに組み合わされて実施されてもよい。すなわち、実施形態１〜実施形態３のすべての特徴を備えるプリンタシステムを構成することも可能である。
【０１２２】
上記実施形態では、プリンタ装置１０とユーザ端末２０との間の通信は、無線ＬＡＮなどの無線通信により行われる例を挙げて説明したが、これに限定されるものではない。例えば、プリンタ装置１０とユーザ端末２０とは、有線ＬＡＮやＵＳＢなどの有線通信により通信してもよいし、携帯電話の無線通信回線を利用した無線通信により通信してもよい。無線通信部１２０が、携帯電話通信部１１０と同じ方法で通信するものである場合、無線通信部１２０と携帯電話通信部１１０とは一体的に構成されてもよい。
【０１２３】
また、上記実施形態では、プリンタ装置１０とデータ送信端末３０との間の通信は、携帯電話の回線である無線通信回線４０を介して行われる例を挙げて説明したが、これに限定されるものではない。例えば、プリンタ装置１０とデータ送信端末３０とは、インターネット回線を介した有線通信または無線通信などにより通信してもよい。この場合、無線通信回線４０は、インターネット回線に置き換えられる。
【０１２４】
また、上記実施形態では、ユーザ端末２０及びデータ送信端末３０がいずれも表示部２４０及び３４０、並びに入力検出部２５０及び３５０を含んで構成される例について説明したが、これらの表示部２４０及び３４０、並びに入力検出部２５０及び３５０はユーザ端末２０またはデータ送信端末３０とは別の構成であってもよい。すなわち、例えばデータ送信端末３０がサーバ装置であって、このデータ送信端末３０を遠隔操作するための表示部と操作部があるような構成であっても、本発明の範囲に含まれる。
【０１２５】
上記実施形態では、データ送信端末３０とプリンタ装置１０との間では、画像データと印刷設定とを含む印刷データを送受信しているが、この印刷データは、少なくとも画像データを含むものであればよい。
【産業上の利用可能性】
【０１２６】
本発明は、携帯電話回線を介して第三者から印刷データを受信するプリンタ装置などとして好適に適用される。
【符号の説明】
【０１２７】
１０…プリンタ装置
２０…ユーザ端末
３０…データ送信端末
４０…無線通信回線
１００…制御部
１１０…携帯電話通信部
１２０…無線通信部
１３０…メモリ
１４０…印刷部
２００…制御部
２２０…無線通信部
２３０…メモリ
２４０…表示部
２５０…入力検出部
２０８…ボタン
２０９…ボタン
３００…制御部
３１０…携帯電話通信部
３３０…メモリ
３４０…表示部
３５０…入力検出部
【図１】
2017177792.tif 000003
【図２】
2017177792.tif 000004
【図３】
2017177792.tif 000005
【図４】
2017177792.tif 000006
【図５】
2017177792.tif 000007
【図６】
2017177792.tif 000008
【図７】
2017177792.tif 000009
【図８】
2017177792.tif 000010
【図９】
2017177792.tif 000011
【図１０】
2017177792.tif 000012
【図１１】
2017177792.tif 000013